(57)【要約】【課題】端子プレート端部と絶縁プレートとの離隔を防止することができる二次電池を提供する。【解決手段】 キャッププレートと絶縁ケースとの間に位置される端子プレートと、キャッププレートと対向する上面を持って絶縁ケースのベースと対向する下面を持つ絶縁プレートと、端子プレートを前記絶縁プレートに固定するために絶縁プレートの下面から延長された少なくとも一つの固定部材を含む。【選択図】図１
2012009413.tif 000002
【特許請求の範囲】
【請求項１】
二次電池の絶縁ケースに付着されるキャッププレートを備えるキャップ組立体において、
前記キャッププレートと絶縁ケースとの間に位置される端子プレートと、
前記キャッププレートと対向する上面を持って絶縁ケースのベースと対向する下面を持つ絶縁プレートと、
前記端子プレートを前記絶縁プレートに固定するために前記絶縁プレートの下面から延長された少なくとも一つの固定部材と、
を含むことを特徴とするキャップ組立体。
【請求項２】
前記少なくとも一つの固定部材は、フック形状であることを特徴とする請求項１記載のキャップ組立体。
【請求項３】
前記絶縁プレートは、二つの長側壁と二つの短側壁を含む四つの側部でなることを特徴とする請求項１または請求項２記載のキャップ組立体。
【請求項４】
前記絶縁プレートは、端子ホールを備えて、前記固定部材は前記端子ホールが位置する側壁と対向する下面から延長されることを特徴とする請求項１ないし請求項３のいずれか１項に記載のキャップ組立体。
【請求項５】
前記絶縁プレートは、四つの側部を含み、前記四つの側部で二箇所のみに短側壁が形成され、前記固定部材は前記二つの短側壁のいずれか一つと最も隣接して端子ホールが位置される側部と対向する位置で前記絶縁フプレートの下面から延長されて形成されることを特徴とする請求項１ないし請求項４のいずれか１項に記載のキャップ組立体。
【請求項６】
前記絶縁プレートは、少なくとも二つの固定部材をさらに含み、前記固定部材のいずれか一つは前記長側壁のいずれか一つに最も隣接するように形成され、前記固定部材の他の一つは他の長側壁に最も隣接するように形成されることを特徴とする請求項３記載のキャップ組立体。
【請求項７】
前記絶縁プレートは、少なくとも三つの固定部材を含み、前記三つの固定部材のいずれか一つは、前記二つの長側壁のいずれか一つに最も隣接するように形成され、また他の一つは前記二つの長側壁の他の一つに最も隣接するように形成され、残りの一つは前記二つの短側壁のいずれか一つに最も隣接するように形成されることを特徴とする請求項３記載のキャップ組立体。
【請求項８】
前記少なくとも一つの固定部材は、フック形状を持つように前記固定部材から延長された支持部を含み、前記支持部はガイド溝を形成するために前記絶縁プレートの下面に平行な安着面と前記絶縁プレートの下面と鋭角を成しつつ傾斜した傾斜面を含むことを特徴とする請求項１ないし請求項７のいずれか１項に記載のキャップ組立体。
【請求項９】
前記傾斜面と安着面は、前記絶縁プレートの下面に垂直した垂直側壁によって連結されることを特徴とする請求項８記載のキャップ組立体。
【請求項１０】
前記端子プレートは、前記支持部を収容するための形状を持って前記端子プレート内に窪みによる引っかけ溝を備えることを特徴とする請求項９記載のキャップ組立体。
【請求項１１】
前記絶縁プレートは、前記端子プレートを収容するために下面に収容空間を備えることを特徴とする請求項１ないし請求項１０のいずれか１項に記載のキャップ組立体。
【請求項１２】
前記絶縁プレートは、前記短側壁または長側壁から部分的に取り囲まれて、前記固定部材は前記短側壁または長側壁から延長されることを特徴とする請求項１ないし請求項１１のいずれか１項に記載のキャップ組立体。
【請求項１３】
キャップ組立体と缶を備えた二次電池において、前記キャップ組立体はキャッププレートを介して延長された電極端子を持つキャッププレートを備え、前記キャッププレートは絶縁ケースに付着されて、前記絶縁ケースは缶に付着され、前記缶は電解質と陽極タップと陰極タップを持つ電極組立体を収容し、前記キャップ組立体は、前記キャッププレートと絶縁ケースとの間に位置されて、電極端子が通過する第２端子ホールを持つ端子プレートと、
前記キャッププレートと対向して接触される上面を持って絶縁ケースのベースと対向して前記端子プレートと接触される下面を持つ絶縁プレートと、
前記端子プレートを前記絶縁プレートに固定するために前記絶縁プレートの下面から延長された少なくとも一つの固定部材と、
を含むことを特徴とする二次電池。
【請求項１４】
前記少なくとも一つの固定部材は、フック形状であることを特徴とする請求項１３記載の二次電池。
【請求項１５】
前記絶縁プレートは、二つの長側壁と二つの短側壁を含む四つの側部でなることを特徴とする請求項１３または請求項１４に記載の二次電池。
【請求項１６】
前記絶縁プレートは、端子ホールを備え、前記固定部材は前記端子ホールが位置する側壁と対向する下面から延長されることを特徴とする請求項１５記載の二次電池。
【請求項１７】
前記絶縁プレートは、四つの側部を含み、前記四つの側部で二箇所のみに短側壁が形成されて、前記固定部材は前記二つの短側壁のいずれか一つと最も隣接して端子ホールが位置される側部と対向する位置で前記絶縁プレートの下面から延長されて形成されることを特徴とする請求項１５記載の二次電池。
【請求項１８】
前記絶縁プレートは、少なくとも二つの固定部材をさらに含み、前記固定部材のいずれか一つは前記長側壁のいずれか一つに最も隣接するように形成されて、前記固定部材のまた他の一つは他の長側壁に最も隣接するように形成されることを特徴とする請求項１５記載の二次電池。
【請求項１９】
前記絶縁プレートは、少なくとも三つの固定部材を含むが、前記三つの固定部材のいずれか一つは前記二つの長側壁のいずれか一つに最も隣接するように形成されて、また他の一つは前記二つの長側壁の他の一つに最も隣接するように形成されて、残りの一つは前記二つの短側壁のいずれか一つに最も隣接するように形成されることを特徴とする請求項１５記載の二次電池。
【請求項２０】
前記少なくとも一つの固定部材は、フック形状を持つように前記固定部材から延長された支持部を含むが、前記支持部はガイド溝を形成するために前記絶縁プレートの下面に平行な安着面と前記絶縁プレートの下面と鋭角を成しつつ傾斜した傾斜面を含むことを特徴とする請求項１３記載の二次電池。
【請求項２１】
前記傾斜面と安着面は、前記絶縁プレートの下面に垂直した垂直側壁によって連結されることを特徴とする請求項２０記載の二次電池。
【請求項２２】
前記端子プレートは、前記支持部を収容するための形状を持って前記端子プレート内に窪みによる引っかけ溝を備えることを特徴とする請求項２１記載の二次電池。
【請求項２３】
前記絶縁プレートは、前記端子プレートを収容するために下面に収容空間を備えることを特徴とする請求項１３記載の二次電池。
【請求項２４】
前記絶縁プレートは、前記短側壁または長側壁から部分的に取り囲まれて、前記固定部材は前記短側壁または長側壁から延長されることを特徴とする請求項１３記載の二次電池。
【発明の詳細な説明】
【技術分野】
【０００１】
本発明は二次電池に関し、より詳細には、端子プレート端部と絶縁プレートとの離隔を防止することができる二次電池に関する。
【背景技術】
【０００２】
一般に、角形リチウム二次電池は陽極タップが上部に引き出しされた陽極板、陰極タップが上部に引き出しされた陰極板、及びその間に介在されたセパレーターで構成される電極組立体を缶（Ｃａｎ）に収納する。
【発明の概要】
【発明が解決しようとする課題】
【０００３】
したがって、本発明は前記問題を鑑みてなされたものであって、その目的は、キャッププレートと端子プレートとの間に位置された絶縁プレートにフック（ｈｏｏｋ）形状の固定部材を形成して端子プレートが固定部材に締結されるようにし、これによって端子プレート端部と絶縁プレートとの離隔を防止することができる二次電池を提供することである。
【課題を解決するための手段】
【０００４】
上記目的を達成するために本発明の一実施例によれば、二次電池の絶縁ケースに付着されるキャッププレートを備えるキャップ組立体において、前記キャッププレートと絶縁ケースとの間に位置される端子プレートと、前記キャッププレートと対向する上面を持って絶縁ケースのベースと対向する下面を持つ絶縁プレートと、及び前記端子プレートを前記絶縁プレートに固定するために前記絶縁プレートの下面から延長された少なくとも一つの固定部材を含むキャップ組立体を提供することを特徴とする。
【０００５】
また、前記少なくとも一つの固定部材はフック形状である。
【０００６】
また、前記絶縁プレートは二つの長側壁と二つの短側壁を含む四つの側部でなる。
【０００７】
また、前記絶縁プレートは端子ホールを備えて、前記固定部材は前記端子ホールが位置する側壁と対向する下面から延長される。
【０００８】
さらに前記絶縁プレートは、四つの側部を含むが、前記四つの側部で二箇所のみに短側壁が形成され、前記固定部材は前記二つの短側壁のいずれか一つと最も隣接して端子ホールが位置される側部と対向する位置で前記絶縁プレートの下面から延長されて形成される。
【０００９】
また、前記絶縁プレートは少なくとも二つの固定部材をさらに含むが、前記固定部材のいずれか一つは前記長側壁のいずれか一つに最も隣接するように形成されて、前記固定部材の他の一つは他の長側壁に最も隣接するように形成される。
【００１０】
また、前記絶縁プレートは、少なくとも三つの固定部材を含むが、前記三つの固定部材のいずれか一つは前記二つの長側壁のいずれか一つに最も隣接するように形成されて、また他の一つは前記二つの長側壁の他の一つに最も隣接するように形成されて、残りの一つは前記二つの短側壁のいずれか一つに最も隣接するように形成される。
【００１１】
また、前記少なくとも一つの固定部材はフック形状を持つように前記固定部材から延長された支持部を含むが、前記支持部はガイド溝を形成するために前記絶縁プレートの下面に平行な安着面と前記絶縁プレートの下面と鋭角を成しつつ傾斜した傾斜面を含む。
【００１２】
また、前記傾斜面と安着面は前記絶縁プレートの下面に垂直した垂直側壁によって連結される。
【００１３】
また、前記絶縁プレートは前記支持部を収容するための形状を持って前記端子プレート内に窪みによる引っかけ溝を備える。
【００１４】
また、前記絶縁プレートは前記端子プレートを収容するために下面に収容空間を備える。
【００１５】
また、前記絶縁プレートは前記短側壁または長側壁から部分的に取り囲まれて、前記固定部材は前記短側壁または長側壁から延長される。
【００１６】
さらに、本発明のまた他の実施例によれば、キャップ組立体と缶を備えた二次電池において、前記キャップ組立体はキャッププレートを介して延長された電極端子を持つキャッププレートを備え、前記キャッププレートは絶縁ケースに付着されて前記絶縁ケースは缶に付着され、前記缶は電解質と陽極タップと陰極タップを持つ電極組立体を収容し、前記キャップ組立体は前記キャッププレートと絶縁ケースとの間に位置されて、電極端子が通過する第２端子ホールを持つ端子プレートと、前記キャッププレートと対向して接触される上面を持って絶縁ケースのベースと対向して前記端子プレートと接触される下面を持つ絶縁プレートと、前記端子プレートを前記絶縁プレートに固定するために前記絶縁プレートの下面から延長された少なくとも一つの固定部材と、を含む二次電池を提供する。
【００１７】
また、前記少なくとも一つの固定部材はフック形状である。
【００１８】
また、前記絶縁プレートは二つの長側壁と二つの短側壁を含む四つの側部でなる。
【００１９】
また、前記絶縁プレートは端子ホールを備え、前記固定部材は前記端子ホールが位置する側壁と対向する下面から延長可能である。
【００２０】
また、前記絶縁プレートは四つの側部を含むが、前記四つの側部で二箇所のみに短側壁が形成されて、前記固定部材は前記二つの短側壁のいずれか一つと最も隣接して端子ホールが位置される側部と対向する位置で前記絶縁プレートの下面から延長されて形成される。
【００２１】
また、前記絶縁プレートは少なくとも二つの固定部材をさらに含むが、前記固定部材のいずれか一つは前記長側壁のいずれか一つに最も隣接するように形成されて、前記固定部材の他の一つは他の長側壁に最も隣接するように形成される。
【００２２】
また、前記絶縁プレートは少なくとも三つの固定部材を含むが、前記三つの固定部材のいずれか一つは前記二つの長側壁のいずれか一つに最も隣接するように形成されて、また他の一つは前記二つの長側壁の他の一つに最も隣接するように形成されて、残りの一つは前記二つの短側壁のいずれか一つに最も隣接するように形成される。
【００２３】
また、前記少なくとも一つの固定部材は、フック形状を持つように前記固定部材から延長された支持部を含むが、前記支持部はガイド溝を形成するために前記絶縁プレートの下面に平行な安着面と前記絶縁プレートの下面と鋭角を成しつつ傾斜した傾斜面を含む二次電池を提供する。
【００２４】
また、前記傾斜面と安着面は、前記絶縁プレートの下面に垂直した垂直側壁によって連結される。
【００２５】
また、前記絶縁プレートは、前記支持部を収容するための形状を持って前記端子プレート内に窪みによる引っかけ溝を備える。
【００２６】
また、前記絶縁プレートは、前記端子プレートを収容するために下面に収容空間を備える。
【００２７】
また、前記絶縁プレートは、前記短側壁または長側壁から部分的に取り囲まれて、前記固定部材は前記短側壁または長側壁から延長される。
【発明の効果】
【００２８】
以上説明したように、本発明によれば、端子プレートが絶縁プレートの固定部材に締結されて端子プレート端部と絶縁プレートとの離隔を防止することで、電極組立体から引き出される電極タップと端子プレートの溶接工程性を向上させることができるという効果を奏する。
【図面の簡単な説明】
【００２９】
【図１】本発明の第１実施例による角形二次電池を示した分解斜視図である。
【図２】本発明の第１実施例による固定部材を備えた絶縁プレートが装着された二次電池の部分断面図である。
【図３】本発明の第１実施例による固定部材を備えた絶縁プレートの底面図である。
【図４】本発明の第２実施例による固定部材を備えた絶縁プレートの底面図である。
【図５】本発明の第３実施例による固定部材を備えた絶縁プレートの底面図である。
【図６】本発明の第４実施例による固定部材を備えた絶縁プレートの底面図である。
【図７】本発明の第５実施例による固定部材を備えた絶縁プレートの底面図である。
【図８】本発明の第６実施例による固定部材を備えた絶縁プレートが装着された二次電池の部分断面図である。
【図９】本発明の第７実施例による固定部材を備えた絶縁プレートが装着された二次電池の部分断面図である。
【図１０】図９の端子プレートを示す底面斜視図である。
【発明を実施するための形態】
【００３０】
以下、添付された図面を参照して本発明の好ましい実施例を説明する。一般に、二次電池では缶の上端部をキャップ組立体で密封する。このようなキャップ組立体のうち、端子プレートは、電極組立体から引き出された陽極タップまたは陰極タップのうちいずれか一つと溶接されて電気的に連結される。この際、端子プレートを固定する手段がないため、端子プレートは絶縁プレートの下面から離隔される。これによって端子プレートと、陽極タップまたは陰極タップのうちいずれか一つの電極タップの溶接の際、端子プレートが固定されていないので溶接性が低下するという問題がある。
【００３１】
図１は、本発明の第１実施例による角形二次電池を示した分解斜視図である。図１を参照すれば、本発明の第１実施例による二次電池は、電極組立体１２が収容されて、一側が開口された缶１０と、缶１０の開口された部分を密封するキャップ組立体２０を含む。そして、電極組立体１２とキャップ組立体２０との間に位置されて、缶１０の上部に挿入される絶縁ケース７０を含む。
【００３２】
また、キャップ組立体２０うち、キャッププレート４０と端子プレート６０との間に位置された絶縁プレート５０の下端部に形成されたフック形状の固定部材５４ａをさらに含む。ここで、フーク形状の固定部材５４ａは、絶縁プレート５０に端子プレート６０が密着されるように固定して絶縁プレート５０と端子プレート６０との離隔を防止する役目をする。
【００３３】
絶縁プレート５０は、対向する一対の長側面５３ａと、長側面５３ａの端部を連結する一対の短側面５３ｂ及び上下面（５３ｃ、５３ｄ）に形成される。このような絶縁プレート５０の下面には端子プレート６０が挿入されうる安着空間部５２がさらに形成される。そして、安着空間部５２を形成する側壁の下端部にフック形状の固定部材５４ａが形成されうる。ここで、絶縁プレート５０の一側には電極端子３０が挿入される第２端子ホール５１が形成される。そして、第２端子ホール５１が形成されていない絶縁プレート５０の他側には、安着空間部５２を形成する側壁のうち少なくとも一つの側壁下端部に固定部材５４ａが形成されうる。説明の便宜上、以下では絶縁プレート５０の長側面５３ａ側の側壁を'長側壁'といい、絶縁プレート５０の短側面５３ｂ側の側壁を'短側壁'と言う用語を使用して説明する。
【００３４】
本発明の第１実施例による固定部材５４ａは、絶縁プレート５０他側の短側壁下端部に形成される。すなわち、固定部材５４ａは短側壁下端部一領域で絶縁プレート５０の内側に突出されるフック形状で形成される。これによって端子プレート６０が固定部材５４ａに締結されて絶縁プレート５０の安着空間部５２に密着されるようにすることができる。この際、端子プレート６０の上面にはヒューズ６２がさらに設けられるが、ヒューズ６２が設けられることによって端子プレート６０の長さがさらに長くなる。これによってその分絶縁プレート５０の安着空間部５２に接する端子プレート６０の端部と絶縁プレート５０とが離隔されるようになるが、このような離隔現象を固定部材５４ａによって防止することができる。
【００３５】
以下、角形二次電池の構成についより詳細に説明する。まず、電極組立体１２は、陽極板１５と陰極板１３との間にセパレーター１４の介在された状態に巻取られて形成される。陽極板１５には陽極タップ１６が結合されて電極組立体１２の上端部に突出され、陰極板１３には陰極タップ１７が結合されて電極組立体１２の上端部に突出される。電極組立体１２で陽極タップ１６と陰極タップ１７は所定距離離隔されるように形成されて電気的に絶縁される。
【００３６】
そして、陽極タップ１６及び陰極タップ１７が電極組立体１２から引き出される部分にはラミネーションテープ１８が巻き取られている。ラミネーションテープ１８は、陽極タップ１６または陰極タップ１７で発生する熱を遮断する。また、ラミネーションテープ１８は陽極タップ１６または陰極タップ１７の縁によって電極組立体１２が圧迫を受けないようにする役目を遂行する。ここで、陽極タップ１６及び陰極タップ１７は電極組立体１２の陽極板１５及び陰極板１３それぞれと電気的に連結され、缶１０の開口された方向に引き出される。このために陽極タップ１６及び陰極タップ１７は、缶１０内部で電極組立体１２の上部に固定される絶縁ケース７０のリード通孔７２をそれぞれ貫通してそれぞれ缶１０または端子プレート６０と電気的に連結される。
【００３７】
陽極板１５及び陰極板１３は、それぞれアルミニウム金属箔と銅金属箔スラリーをコーティング乾燥して製作される。この際、スラリーは陽極板１５及び陰極板１３それぞれの活物質と、活物質を金属箔に粘着させる固定材とを含む。リチウム二次電池の場合、陽極活物質としては主にリチウム含有酸化物が利用される。そして、陰極活物質としてはハードカーボン、ソフトカーボン、黒鉛及び炭素物質のうちいずれか一つを主に利用することができるが、本発明はリチウム二次電池に限定されるものではない。
【００３８】
缶１０は、開口された一側に電極組立体１２を収容し、缶１０の水平断面は角が丸く処理された四角形状で形成される。缶１０の水平断面形状はこれに限定されるのではなく、図示しなかったが、缶１０の水平断面形状は四角形状または楕円形状で形成されうることは勿論である。缶１０は金属材で、望ましくは軽くて柔軟性のあるアルミニウムまたはアルミニウム合金で形成されうる。また、缶１０はディプドロイング（Ｄｅｅｐ  Ｄｒａｗｉｎｇ）方式を利用して容易に製作することができる。
【００３９】
キャップ組立体２０は、キャッププレート４０、電極端子３０、絶縁プレート５０、端子プレート６０及びガスケット３５を含む。このうち、キャッププレート４０はキャップ組立体２０と缶１０の結合の際に缶１０の開口面を密封して缶１０の一面を形成することができる。このため、キャッププレート４０は溶接のような方法を利用して缶１０の開口面に結合されうる。同時に、キャッププレート４０は絶縁ケース７０のリード通孔７２を貫通して引き出される陽極タップ１６及び陰極タップ１７のうちいずれか一つと電気的に連結される。  また、キャッププレート４０にはガスケット３５との結合のための第１端子ホール４１及び電解液注入のための電解液注入口４２が形成される。電解液注入口４２はキャッププレート４０に形成され、缶１０内部へ電解液を注入する通路として利用される。そして、電解液注入口４２は電解液の注入後、蓋４３によって密封される。
【００４０】
ガスケット３５は、電極端子３０とキャッププレート４０との間の絶縁を確保するためのものである。このようなガスケット３５には電極端子３０との結合のための中央端子ホール３６が形成され、電極端子３０は中央端子ホール３６を貫通する形態でガスケット３５に結合される。そして、前に説明した絶縁プレート５０はキャッププレート４０と端子プレート６０との間の絶縁のためにその間に挿入される。また、絶縁プレート５０には電極端子３０が貫通することができるように第２端子ホール５１が形成される。また、端子プレート６０は第３端子ホール６１によって電極端子３０と電気的に連結される。また、端子プレート６１は陽極タップ１６及び陰極タップ１７のうち、キャッププレート４０と連結されなかった他の電極タップと電気的に連結される。すなわち、キャッププレート４０が陽極タップ１６と電気的に連結される場合、端子プレート６０は陰極タップ１７と連結され、これにより、電極端子３０と陰極タップ１７との電気的連結を中継することができる。
【００４１】
絶縁ケース７０は、電極組立体１２とキャップ組立体２０が電気的に絶縁されるようにその間に位置され、より詳細には、缶１０の上部に挿入された状態で位置される。絶縁ケース７０は一般的に電気絶縁性の優秀な軽資質のプラスチック樹脂を利用して製造される。これにより、絶縁ケース７０を缶１０内部に挿入する場合、電解液による変形がほとんどなく、電極組立体１２とキャップ組立体２０との間の絶縁を確保することが容易である。このように、絶縁ケース７０として軽質プラスチック樹脂を使用する場合、弾性が弱くて缶１０に結合しにくくなる。これを補うために絶縁ケース７０は、ベース部７４と支持部７５で構成されて缶１０に安定的に結合されるようにすることができる。ここで、ベース部７４は絶縁ケース７０の下部面であり、支持部７５は絶縁ケース７０の外側面である。
【００４２】
絶縁ケース７０のベース部７４は、一定の厚さのプレートに形成され、缶１０の水平断面形状、特に電極組立体１２の収納後、残余空間の断面形態と類似な形態で形成される。そして、絶縁ケース７０のベース部７４は缶１０との嵌合のために残余空間の断面よりやや大きなサイズで形成されることが望ましい。このような絶縁ケース７０のベース部７４には電解液注入口（図示せず）及びリード通孔７２が形成される。
【００４３】
図２は、本発明の第１実施例による固定部材を備えた絶縁プレートが装着された二次電池の部分断面図で、図３は本発明の第１実施例による固定部材を備えた絶縁プレートの底面図である。図２及び図３を参照すれば、本発明の第１実施例による絶縁プレート５０はキャッププレート４０と端子プレート６０との間に位置され、下面に端子プレート６０を収容することができる安着空間部５２が形成される。そして、第２端子ホール（５１、図１参照）が形成された絶縁プレート５０一側の反対側、すなわち、絶縁プレート５０他側の側壁には固定部材５４ａが形成される。より望ましくは、固定部材５４ａは絶縁プレート５０他側の短側壁５６ｂ下端部に形成される。
【００４４】
このような固定部材５４ａの下面は、絶縁プレート５０内側に行くほど上部へ傾斜するように形成されうる。これによって端子プレート６０を安着空間部５２に圧入して安着させる時、固定部材５４ａの下面に端子プレート６０の端部が引っかかることなく、容易に安着空間部５２の内部に安着することができる。また、前述したような構造によって固定部材５４ａの弾力性が向上されうる。
【００４５】
このようにヒューズ（６２、図１参照）が形成され、既存より長さが延長された端子プレート６０の端部は、固定部材５４ａによって絶縁プレート５０の安着空間部５２に容易に固定されうる。これによって端子プレート６０と、端子プレート６０と電気的、物理的に結合される陰極タップ１７の溶接工程性を向上させることができる。
【００４６】
本発明の第１実施例において、固定部材５４ａは絶縁プレート５０他側の短側壁５６ｂ下端部に一つが形成されたが、それ以上の個数で形成されても良いのは勿論である。
【００４７】
図４は、本発明の第２実施例による固定部材を備えた絶縁プレートの底面図である。図４を参照すれば、絶縁プレート５０の下面には端子プレート（６０、図１参照）が安着される安着空間部５２が形成される。この際、安着空間部５２は端子プレート６０よりやや大きく形成され、端子プレート６０の上面及びすべての側面を取り囲む形態で形成される。そして、絶縁プレート５０他側の一対の長側壁５６ａ及び一つの短側壁５６ｂ下端部にそれぞれ固定部材５４ｂが形成される。このような固定部材５４ｂによれば、三面で端子プレート６０の端部を固定させることで、端子プレート６０を絶縁プレート５０の安着空間部（５２、図１参照）により堅固に密着されるように固定させることができる。
【００４８】
図５は、本発明の第３実施例による固定部材を備えた絶縁プレートの底面図である。図５を参照すれば、絶縁プレート５０の下面に形成された安着空間部５２は、端子プレート６０の上面及び一対の長側面のみを取り囲む形態で形成される。すなわち、安着空間部５２は一対の長側壁５６ａのみが形成された形態である。これによって、端子プレート６０の端部を固定する固定部材５４ｃは、絶縁プレート５０他側の一対の長側壁５６ａ下端部にそれぞれ二個ずつ形成されうる。この場合、固定部材５４ｃが一つの側壁に一つずつ形成された場合より一層堅固に端子プレート６０を固定させることができる。
【００４９】
図６は、本発明の第４実施例による固定部材を備えた絶縁プレートの底面図である。図６を参照すれば、本発明の第４実施例では前記第３実施例とは反対に、安着空間部５２が端子プレート（６０、図１参照）の上面及び一対の短側面のみを取り囲む形態で形成される。すなわち、安着空間部５２は一対の短側壁５６ｂのみ形成された形態である。これによって、固定部材５４ｄは絶縁プレート５０他側の一つの短側壁５６ｂの下面から突出されたフック形状で形成されうる。
【００５０】
図７は、本発明の第５実施例による固定部材を備えた絶縁プレートの底面図である。図７を参照すれば、絶縁プレート５０下面に形成された空間部５２は、端子プレート（６０、図１参照）の上面及びすべての側面を取り囲む形態で形成される。そして、絶縁プレート５０他側の一対の長側壁５６ａ及び一つの短側壁５６ｂにそれぞれ固定部材５４eが形成される。
【００５１】
前述の実施例とは違って、本発明の第５実施例による固定部材５４eは、短側壁５６ｂに沿って長く形成される。そして、固定部材５４eは短側壁５６ｂと触れ合う一対の長側壁５６ａ端部を除く長側壁５６ａに沿って空間部５５を置いて長く形成される。このような固定部材５４eによれば、本発明の第２実施例と同様に、三面で端子プレート６０の端部を固定させることで、端子プレート６０をより堅固に固定させることができる。
【００５２】
図８は、本発明の第６実施例による固定部材を備えた絶縁プレートが装着された二次電池の部分断面図である。図８を参照すれば、絶縁プレート５０短側壁下端部一領域には、絶縁プレート５０内側へ延長される支持部５７がさらに形成される。すなわち、支持部５７は端子プレート６０の端部下面を支持するように形成される。前記支持部５７は、ガイド溝５８を形成するために前記絶縁プレート５０の下面に平行な安着面５７ａと前記絶縁プレートの下面と鋭角を成しつつ傾斜した傾斜面５７ｂでなる。前記傾斜面５７ｂと安着面５７ａは、前記絶縁プレート５０の下面に垂直した垂直側壁５４fによって連結される。このような支持部５７が形成されることによって絶縁プレート５０の短側壁側には、ガイド溝５８が形成されうる。ここで、ガイド溝５８は絶縁プレート５０の安着空間部５２及び支持部５７によって取り囲まれた空間である。
【００５３】
そして、支持部５７の下面には絶縁プレート５０内側へ突き出されるフック形状の固定部材５４fが形成される。この際、絶縁プレート５０の支持部５７及び固定部材５４fは、弾性のある材質で形成されて端子プレート６０締結の際、干渉を与えないようにすることができる。また、固定部材５４fがフック形状で形成されるため、端子プレート６０をガイド溝５８に挿入することが容易である。このように、ガイド溝５８に端子プレート６０の端部が締結されることによって端子プレート６０端部と絶縁プレート５０との離隔を防止することができる。
【００５４】
図９は、本発明の第７実施例による固定部材を備えた絶縁プレートが装着された二次電池の部分断面図で、図１０は図９の端子プレートを示す底面斜視図である。図９及び図１０を参照すれば、本発明の第６実施例のように絶縁プレート５０内側へ延長される支持部５７'がさらに形成される。この際、支持部５７'によって形成される端子プレート６０端部が安着される空間の厚さ、すなわち、ガイド溝５８'の厚さは端子プレート６０の厚さより薄く形成される。そして、端子プレート６０の下面には前記厚さの差ほどの深みで引っ掛け溝６３が形成されうる。また、支持部５７'の下面には絶縁プレート５０内側へ突き出されるフック形状の固定部材５４gが形成されうる。
【００５５】
このように絶縁プレート５０の支持部５７'と触れ合う端子プレート６０の下面に引っ掛け溝６３を形成して締結することで、端子プレート６０が水平に移動することを防止することができる。また、端子プレート６０を上下左右に一層堅固に締結させることができる。
【００５６】
本発明の実施例では、ヒューズが形成されて既存より長さが延長された端子プレートを含む二次電池に関して説明したが、ヒューズが形成されない端子プレートを含む二次電池にも適用可能であることは勿論である。
【００５７】
以上のように、本発明の最も好ましい実施形態について説明したが、本発明は、上記記載に限定されるものではなく、特許請求の範囲、又は明細書に開示された発明の要旨に基づき、当業者が様々な変形や変更が可能であり、斯かる変形や変更が、本発明の範囲に含まれることは言うまでもない。
【符号の説明】
【００５８】
１０  缶、
１２  電極組立体、
１６  陽極タップ、
１７  陰極タップ、
２０  キャップ組立体、
３０  電極端子、
４０  キャッププレート、
５０  絶縁プレート、
５２  安着部、
５４ａ  固定手段、
６０  端子プレート、
７０  絶縁ケース
【図１】
2012009413.tif 000003
【図２】
2012009413.tif 000004
【図３】
2012009413.tif 000005
【図４】
2012009413.tif 000006
【図５】
2012009413.tif 000007
【図６】
2012009413.tif 000008
【図７】
2012009413.tif 000009
【図８】
2012009413.tif 000010
【図９】
2012009413.tif 000011
【図１０】
2012009413.tif 000012